(57)【要約】    【課題】        コンテンツのシーン単位にコンテンツの意味内容を加味したアクセス制御を行えるようにすること。    【解決手段】    本発明は、コンテンツの区切りを示すシーン、シーンの内容を示す観点、および観点への合致度を記述したコンテンツ記述と、アクセスを禁止する禁止観点およびアクセス制御方法を記述したアクセス制御記述とを用いて、コンテンツ記述のシーンのうち禁止観点を観点として持つシーンに対してアクセス制御方法を用いたアクセス制御を行ったアクセス制御済コンテンツ記述を作成するようにしたものである。  【選択図】        図１
2005354497.tif 000002
【特許請求の範囲】
【請求項１】
コンテンツの区切りを示すシーン、前記シーンの内容を示す観点、および前記観点への合致度を記述したコンテンツ記述と、アクセスを禁止する禁止観点およびアクセス制御方法を記述したアクセス制御記述とを入力する入力部と、前記コンテンツ記述の前記シーンのうち前記禁止観点を前記観点として持つ前記シーンに対して前記アクセス制御方法に基づいてシーン単位にアクセス制御を行ったアクセス制御済コンテンツ記述を作成するアクセス制御部と、を具備したことを特徴とするアクセス制御装置。
【請求項２】
前記アクセス制御方法は、削除もしくは他のシーンとの差替えであることを特徴とする請求項１記載のアクセス制御装置。
【請求項３】
シーン単位に行うアクセス制御記述は、アクセスを禁止する禁止観点とその禁止観点に対してアクセスを禁止するレベルおよびアクセス制御方法を記述したことを特徴とする請求項１記載のアクセス制御装置。
【請求項４】
前記アクセス制御部は、前記コンテンツ記述の前記禁止観点に対してアクセスを禁止するシーンのうち前記レベルに該当する前記合致度を持つ前記シーンに対して前記アクセス制御方法を用いたアクセス制御を行うことを特徴とする請求項３記載のアクセス制御装置。
【請求項５】
前記アクセス制御部は、複数のユーザの前記アクセス制御記述を入力し、前記コンテンツ記述に含まれる前記シーンが、少なくとも一人以上の前記ユーザに対してアクセス制御を行うと判定されたときに、前記コンテンツの前記シーンに対し、アクセス制御を行う対象ユーザ以外の暗号鍵を用いて各々暗号化して、シーン単位にアクセス制御を行ったアクセス制御済コンテンツ記述を作成することを特徴とする請求項１から請求項４のいずれかに記載のアクセス制御装置。
【請求項６】
前記アクセス制御部は、前記アクセス制御方法が差替えであるときに、前記シーンと差替える前記他のシーンをアクセス制御対象のユーザの暗号鍵を用いて暗号化することを特徴とする請求項２に記載のアクセス制御装置。
【請求項７】
前記コンテンツ記述に含まれる前記観点の一覧を表示する部分と、前記観点を前記禁止観点として選択する部分と、前記アクセス制御方法を決定する部分と、の組を設けたアクセス制御規則設定画面を表示する表示部と、前記アクセス制御規則設定画面に対して前記禁止観点の選択および前記アクセス制御方法を入力し前記アクセス制御記述作成部に送る入力部と、を具備したことを特徴とする請求項１から請求項６のいずれかに記載のアクセス制御装置。
【請求項８】
前記コンテンツ記述に含まれる前記観点の一覧を表示する部分と、前記観点を前記禁止観点として選択する部分と、前記禁止観点に対してアクセスを禁止するレベルを入力する部分と、前記アクセス制御方法を決定する部分と、の組を設けたアクセス制御規則設定画面を表示する表示部と、前記アクセス制御規則設定画面に対して前記禁止観点の選択、前記レベル、および前記アクセス制御方法を入力し前記アクセス制御記述作成部に送る入力部と、を具備したことを特徴とする請求項３記載のアクセス制御装置。
【請求項９】
前記コンテンツ記述、前記アクセス制御記述、および前記アクセス制御済コンテンツ記述は、ＸＭＬで記述されていることを特徴とする請求項１から請求項８のいずれかに記載のアクセス制御装置。
【請求項１０】
請求項１記載のアクセス制御装置から前記アクセス制御済コンテンツ記述を受信する記述受信部と、前記アクセス制御済コンテンツ記述に記述された前記シーンを抽出するコンテンツ解析部と、抽出した前記シーンに対するコンテンツの配信要求を送信する送信部と、前記配信要求に対する前記コンテンツを受信するコンテンツ受信部と、受信した当該コンテンツを再生するコンテンツ再生部と、を具備したことを特徴とする受信端末。
【請求項１１】
請求項５記載のアクセス制御装置からユーザ毎の前記アクセス制御済コンテンツ記述を受信する記述受信部と、前記ユーザ毎のアクセス制御済コンテンツ記述をユーザ毎の復号鍵を用いて復号したユーザ毎のユーザ用コンテンツ記述を生成する復号部と、前記ユーザの認証をする認証部と、認証された前記ユーザに対するユーザ用コンテンツ記述に記述された前記シーンを抽出し、抽出した前記シーンに対応するコンテンツを取得し再生するコンテンツ再生部と、を具備したことを特徴とする受信端末。
【請求項１２】
コンテンツの区切りを示すシーン、前記シーンの内容を示す観点、および前記観点への合致度を記述したコンテンツ記述と、アクセスを禁止する禁止観点およびアクセス制御方法を記述したアクセス制御記述とを入力するステップと、前記コンテンツ記述の前記シーンのうち前記禁止観点を前記観点として持つ前記シーンに対して前記アクセス制御方法に基づいてシーン単位にアクセス制御を行ったアクセス制御済コンテンツ記述を作成するステップと、を具備したことを特徴とするアクセス制御方法。
【発明の詳細な説明】
【技術分野】
【０００１】
本発明は、映像コンテンツなどの時間軸方向に広がりを持つマルチメディアコンテンツに対し、アクセス制御を行うコンテンツのアクセス制御装置およびアクセス制御方法に関するものである。
【背景技術】
【０００２】
従来のアクセス制御装置としては、特許文献１に開示されたものがある。この装置は、データファイルに格納されているデータに関連するポリシー記述を格納したリソースドキュメントと、外部からデータファイルにアクセスするためのアクセス要求を受け付ける。そして、リソースドキュメントからこのアクセス要求のアクセス対象であるデータに関連付けられたポリシー記述を取り出して評価することにより、このアクセス要求を許可するか否かを決定する。
【０００３】
また、アメリカにおいては、Ｖチップと呼ばれる、テレビに組込みのアクセス制御装置がある。これは、番組に年齢などのレーティング情報が付加されており、テレビに視聴可能なレーティングを設定しておくことで、視聴可能か否かを判定し、テレビ視聴を行わせるものである。
【特許文献１】特開２００１−１８４２６４号公報
【発明の開示】
【発明が解決しようとする課題】
【０００４】
しかしながら、従来の方法は、コンテンツ全体に対してアクセス制限を行う方法である。通常、コンテンツは時系列的に内容が変化する。このため、コンテンツ全体ではなく、コンテンツの一部のみがアクセス制限の条件を満たさないという場合もある。この場合、コンテンツの一部のみがアクセス制限の条件を満たさないために、アクセス制限の条件を満たす部分に対してもアクセス制限が行われてしまうという問題がある。
【０００５】
また、従来の方法は、年齢などの数値を用いたアクセス制限を行っている。つまり、コンテンツの意味内容を加味したアクセス制限を行っていない。このため、流血シーンや殺人シーンなどコンテンツの意味内容を加味した細かいアクセス制限を行えないという問題がある。
【０００６】
本発明は、かかる点に鑑みてなされたものであり、コンテンツのシーン単位にコンテンツの意味内容を加味したアクセス制御を行えるようにしたアクセス制御装置、およびアクセス制御方法を提供することを目的とする。
【課題を解決するための手段】
【０００７】
本発明は、コンテンツの区切りを示すシーン、シーンの内容を示す観点、および観点への合致度を記述したコンテンツ記述と、アクセスを禁止する禁止観点およびアクセス制御方法を記述したアクセス制御記述とを用いて、コンテンツ記述のシーンのうち禁止観点を観点として持つシーンに対してアクセス制御方法に基づいてシーン単位にアクセス制御を行ったアクセス制御済コンテンツ記述を作成するようにしたものである。
【発明の効果】
【０００８】
本発明によれば、コンテンツのシーン単位にコンテンツの意味内容である観点を用いたアクセス制御を行うことができる。
【発明を実施するための最良の形態】
【０００９】
本発明の第１の態様にかかるアクセス制御装置は、ココンテンツの区切りを示すシーン、前記シーンの内容を示す観点、および前記観点への合致度を記述したコンテンツ記述と、アクセスを禁止する禁止観点およびアクセス制御方法を記述したアクセス制御記述とを入力する入力部と、前記コンテンツ記述の前記シーンのうち前記禁止観点を前記観点として持つ前記シーンに対して前記アクセス制御方法に基づいてシーン単位にアクセス制御を行ったアクセス制御済コンテンツ記述を作成するアクセス制御部と、を具備した構成を採る。
【００１０】
この構成により、アクセス制御済コンテンツ記述を用いて、コンテンツのシーン単位にコンテンツの意味内容である観点を用いたアクセス制御を行うことができる。また、コンテンツ記述と、アクセス制御を行うための条件記述であるアクセス制御記述とを別に具備した構成を採り、アクセス制御記述のみを書き換えることにより、アクセス制御の方法を容易に変更できる。
【００１１】
本発明の第２の態様は、第１の態様にかかるアクセス制御装置において、前記アクセス制御方法は、削除もしくは他のシーンとの差替えである。
【００１２】
このように、ユーザに対して配信することの好ましくないシーンを、削除または、配信しても支障のない内容のシーンに差し替えることができる。
【００１３】
本発明の第３の態様は、第１の態様にかかるアクセス制御装置において、シーン単位に行うアクセス制御記述は、アクセスを禁止する禁止観点とその禁止観点に対してアクセスを禁止するレベルおよびアクセス制御方法を記述した。
【００１４】
このように、禁止観点だけでなく禁止観点に対してアクセスを禁止するレベルも用いたアクセス制御を行うことができる。この結果、単純に観点が合致したら削除するというだけでなく、観点が合致したとしてもレベルが低ければコンテンツへのアクセスを許可するという細かい設定ができる。
【００１５】
本発明の第４の態様は、第３の態様にかかるアクセス制御装置において、前記アクセス制御部は、前記コンテンツ記述の前記禁止観点に対してアクセスを禁止するシーンのうち前記レベルに該当する前記合致度を持つ前記シーンに対して前記アクセス制御方法を用いたアクセス制御を行う。
【００１６】
これにより、観点が合致したら削除するというだけでなく、観点が合致したとしてもレベルが低ければコンテンツへのアクセスを許可するという細かい設定ができる。
【００１７】
本発明の第５の態様は、第１の態様から第４の態様のいずれかにかかるアクセス制御装置において、前記アクセス制御部は、複数のユーザの前記アクセス制御記述を入力し、前記コンテンツ記述に含まれる前記シーンが、少なくとも一人以上の前記ユーザに対してアクセス制御を行うと判定されたときに、前記コンテンツの前記シーンに対し、アクセス制御を行う対象ユーザ以外の暗号鍵を用いて各々暗号化して、シーン単位にアクセス制御を行ったアクセス制御済コンテンツ記述を作成する。
【００１８】
このように、ユーザ毎にユーザの暗号鍵を用いてシーンを暗号化しているので、アクセス制御によりあるシーンの配信を受けないユーザがこのシーンを視聴するということを防ぐことができる。
【００１９】
本発明の第６の態様は、第２の態様にかかるアクセス制御装置において、前記アクセス制御部は、前記アクセス制御方法が差替えであるときに、前記シーンと差替える前記他のシーンをアクセス制御対象のユーザの暗号鍵を用いて暗号化する。
【００２０】
これにより、差替える他のシーンを他のユーザが視聴することを防止できる。
【００２１】
本発明の第７の態様は、第１の態様から第６の態様のいずれかにかかるアクセス制御装置において、前記コンテンツ記述に含まれる前記観点の一覧を表示する部分と、前記観点を前記禁止観点として選択する部分と、前記アクセス制御方法を決定する部分と、の組を設けたアクセス制御規則設定画面を表示する表示部と、前記アクセス制御規則設定画面に対して前記禁止観点の選択および前記アクセス制御方法を入力し前記アクセス制御記述作成部に送る入力部と、を具備した構成を採る。
【００２２】
これにより、コンテンツ記述に含まれている観点を視覚的に把握しながら、禁止観点やアクセス制御方法を決定できる。
【００２３】
本発明の第８の態様は、第３の態様にかかるアクセス制御装置において、前記コンテンツ記述に含まれる前記観点の一覧を表示する部分と、前記観点を前記禁止観点として選択する部分と、前記禁止観点に対してアクセスを禁止するレベルを入力する部分と、前記アクセス制御方法を決定する部分と、の組を設けたアクセス制御規則設定画面を表示する表示部と、前記アクセス制御規則設定画面に対して前記禁止観点の選択、前記レベル、および前記アクセス制御方法を入力し前記アクセス制御記述作成部に送る入力部と、を具備した構成を採る。
【００２４】
これにより、コンテンツ記述に含まれている観点を視覚的に把握しながら、禁止観点、禁止レベル、アクセス制御方法を決定できる。
【００２５】
本発明の第９の態様は、第１の態様から第８の態様のいずれかにかかるアクセス制御装置において、前記コンテンツ記述、前記アクセス制御記述、および前記アクセス制御済コンテンツ記述は、ＸＭＬで記述されている。
【００２６】
これにより、コンテンツ記述、アクセス制御記述、およびアクセス制御済コンテンツ記述を標準化でき、汎用性を持たせられる。
【００２７】
本発明の第１０の態様にかかる受信端末は、第１の態様にかかるアクセス制御装置から前記アクセス制御済コンテンツ記述を受信する記述受信部と、前記アクセス制御済コンテンツ記述に記述された前記シーンを抽出するコンテンツ解析部と、抽出した前記シーンに対するコンテンツの配信要求を送信する送信部と、前記配信要求に対する前記コンテンツを受信するコンテンツ受信部と、受信した当該コンテンツを再生するコンテンツ再生部と、を具備した構成を採る。
【００２８】
このように、アクセス制御済コンテンツを解析することにより、アクセス制御を加味してコンテンツを再生できる。
【００２９】
本発明の第１１の態様にかかる受信端末は、第５の態様にかかるアクセス制御装置からユーザ毎の前記アクセス制御済コンテンツ記述を受信する記述受信部と、前記ユーザ毎のアクセス制御済コンテンツ記述をユーザ毎の復号鍵を用いて復号したユーザ毎のユーザ用コンテンツ記述を生成する復号部と、前記ユーザの認証をする認証部と、認証された前記ユーザに対するユーザ用コンテンツ記述に記述された前記シーンを抽出し、抽出した前記シーンに対応するコンテンツを取得し再生するコンテンツ再生部と、を具備した構成を採る。
【００３０】
これにより、認証されたユーザに対しては、このユーザが視聴可能なコンテンツのみを取得し、再生できる。
【００３１】
本発明の第１２の態様は、コンテンツの区切りを示すシーン、前記シーンの内容を示す観点、および前記観点への合致度を記述したコンテンツ記述と、アクセスを禁止する禁止観点およびアクセス制御方法を記述したアクセス制御記述とを入力するステップと、前記コンテンツ記述の前記シーンのうち前記禁止観点を前記観点として持つ前記シーンに対して前記アクセス制御方法に基づいてシーン単位にアクセス制御を行ったアクセス制御済コンテンツ記述を作成するステップと、を具備したことを特徴とするアクセス制御方法である。
【００３２】
以下、本発明の実施の形態について、添付図面を参照しながら説明する。本発明の実施の形態では、映像や音声などを含むマルチメディアコンテンツを視聴するときにアクセス制御規則を用いて、視聴者毎にコンテンツを部分的に再生可能、不可能とすることを実現するアクセス制御装置の構成例とその動作を示す。このアクセス制御装置は、ＡＶサーバ、パーソナルコンピュータ（ＰＣ）などに適用されるものである。
【００３３】
（実施の形態１）
以下、実施の形態１にかかるアクセス制御装置を備えたアクセス制御システムについて、添付図面を参照して説明する。まず、実施の形態１にかかるアクセス制御システムの構成について図１を用いて説明する。
【００３４】
実施の形態１にかかるアクセス制御システム１００は、コンテンツのアクセス制御処理機能を持ったアクセス制御装置１０１と、コンテンツを受信する受信端末１０２と、がネットワーク１０３を介して接続された形態を採る。なお、図１では、図面の簡便化のため受信端末１０２がひとつの構成となっているが、実際には複数ある構成を想定している。
【００３５】
アクセス制御装置１０１は、コンテンツを配信するサーバなどを想定している。また、アクセス制御装置１０１は、ホームサーバであっても、外部サーバであっても良い。
【００３６】
また、受信端末１０２は、携帯端末やＰＣやテレビなどコンテンツを受信するものであればいかなるものでもよい。
【００３７】
ネットワーク１０３は、インターネット、ＬＡＮ、無線通信網などいかなる通信網であってもよい。
【００３８】
次に、アクセス制御装置１０１に構成について詳細に説明する。
【００３９】
アクセス制御装置１０１には、コンテンツ１０４を蓄積するコンテンツ蓄積部１０５が設けられている。また、アクセス制御装置１０１には、コンテンツ１０４を説明する記述であるコンテンツ記述１０６を蓄積するコンテンツ記述蓄積部１０７が設けられている。なお、コンテンツ１０４およびコンテンツ記述１０６は、予め蓄積してある形態であっても、ネットワークを介して外部から送信されてくる形態であっても、コンテンツ１０４およびコンテンツ記述１０６を記憶した記憶媒体を装着する形態であってもよい。
【００４０】
ここで、コンテンツ記述１０６について、図２を用いて詳細に説明する。図２は、アクセス制御装置１０１がアクセス制御の際に使用するコンテンツ記述１０６を説明するための図である。
【００４１】
コンテンツ記述１０６には、説明するコンテンツ１０４の、ジャンル２０１と、コンテンツのタイトル２０２が記述されている。
【００４２】
また、コンテンツ記述１０６には、コンテンツ１０４の意味内容を表すキーワードである観点２０３が記述されている。また、コンテンツ記述１０６には、コンテンツ１０４の区切りであるシーンの番号２０４と、シーンの時間情報としてシーン開始時間２０５と、シーン継続時間２０６が記述されている。
【００４３】
また、コンテンツ記述１０６には、各シーンが、観点２０３に対する合致度を０．０〜１．０（０．０は合っていない、１．０は合っている）で示したスコア２０７が記述されている。
【００４４】
また、コンテンツ記述１０６には、対象のコンテンツ１０４のＵＲＬ２０８と、コンテンツ１０４の開始時間２０９と、コンテンツ１０４の全体時間を示す継続時間２１０が記述されている。
【００４５】
次に、コンテンツ記述１０６をＭＰＥＧ−７規格に基づきＸＭＬで記述した記述例について図３を用いて説明する。図３のコンテンツ記述１０６は、図２のコンテンツ記述１０６に対応したものである。
【００４６】
図３に示すコンテンツ記述１０６は、ジャンル２０１、タイトル２０２、シーン番号２０４、シーン開始時間２０５、シーン継続時間２０６、シーンに対する観点２０３ａ〜２０３ｃ、シーンの観点２０３ａ〜２０３ｃに対するスコア２０７ａ〜２０７ｃ、およびコンテンツのＵＲＬ２０８が記述されている。
【００４７】
このように、コンテンツ記述１０６は構成され、シーン毎にキーワードとスコアが記述されている。
【００４８】
また、コンテンツ記述１０６をＸＭＬで記述することにより、標準化でき、汎用性を持たせられる。なお、コンテンツ記述１０６の記述方法は、ＸＭＬに基づいた記述以外であっても良い。
【００４９】
次に、図１を用いたアクセス制御装置１０１の説明に戻る。
【００５０】
アクセス制御装置１０１には、コンテンツ記述１０６を用いたアクセス制御記述１０８を作成するアクセス制御記述作成部１０９が設けられている。アクセス制御記述作成部１０９は、コンテンツ記述１０６を入力し、入力したコンテンツ記述１０６を用いてユーザ毎にアクセス制御規則を設定するアクセス制御規則設定画面を作成し、情報表示部１１０に表示する。そして、アクセス制御記述作成部１０９は、表示したアクセス制御規則設定画面に対して、ユーザが情報入力部１１１を用いて入力もしくは変更（追加）した情報を用いて、アクセス制御記述１０８を作成する。また、アクセス制御記述作成部１０９は、既に作成済みのアクセス制御記述１０８がある場合は、このアクセス制御記述１０８の内容も加味してアクセス制御規則設定画面を生成する。
【００５１】
情報表示部１１０はモニタなどの一般的な情報表示手段であり、情報入力部１１１はキーボード、マウスなどの一般的な情報入力手段である。
【００５２】
次に、アクセス制御記述作成部１０９が作成するアクセス制御規則設定画面について、図４から図６を用いて説明する。図４はユーザＡに対するアクセス制御規則設定画面を示す図であり、図５はユーザＢに対するアクセス制御規則設定画面を示す図であり、図６はユーザＣに対するアクセス制御規則設定画面を示す図である。
【００５３】
アクセス制御規則設定画面４００の上部には、どのユーザに対するアクセス制御規則を設定するかを入力するユーザ名入力部４０１が設けられている。図４に示すアクセス制御規則設定画面４００の場合はユーザ名入力部４０１にユーザＡ、図５に示すアクセス制御規則設定画面４００の場合はユーザ名入力部４０１にユーザＢ、図６に示すアクセス制御規則設定画面４００の場合はユーザ名入力部４０１にユーザＣが入力されている。つまり、図４に示すアクセス制御規則設定画面４００の場合はユーザＡ用、図５に示すアクセス制御規則設定画面４００の場合はユーザＢ用、図６に示すアクセス制御規則設定画面４００の場合はユーザＣ用ということになる。
【００５４】
また、アクセス制御規則設定画面４００の中ほどには、コンテンツ記述１０６に記述された観点（キーワード）を縦方向に並べた観点名一覧４０３が配置されている。
【００５５】
また、アクセス制御規則設定画面４００の観点名一覧４０３の左方には、観点名一覧４０３に記述された観点名に対してアクセス制御を行う場合にチェックする選択ボックス４０２が配置されている。
【００５６】
また、アクセス制御規則設定画面４００の観点名一覧４０３の右方には、観点名に対してどのような制御を行うか設定する規制設定部４０４が配置されている。また、規制設定部４０４は、観点に対するスコアに関わらず規制を行う全てＮＧチェックボックス４０５と、スコアが低いものに対しては規制を行わない軽微ＯＫボックス４０６が設けられている。
【００５７】
このように、シーンの観点だけでなく、スコアも用いたアクセス制御を行うことができる。この結果、単純に観点が合致したら削除するというだけでなく、観点が合致したとしても合致度が低ければコンテンツへのアクセスを許可するという細かい設定ができる。
【００５８】
また、アクセス制御規則設定画面４００の観点名一覧４０３の下方には、制御対象となったシーンに対してどのような制御を行うか設定するアクセス制御選択部４０７が設けられている。アクセス制御選択部４０７には、制御対象となったシーンを削除するように設定する削除ボックス４０８と、制御対象となったシーンを差し替えるように設定する差替ボックス４０９が設けられている。
【００５９】
例えば、図４のアクセス制御規則設定画面４００の場合は、「ゴール」、「コーナーキック」、「チームＡ」、「遠藤」という観点名に対する選択ボックス４０２がチェックされているので、これらの観点を持つシーンがアクセス制御対象として設定されている。また、「ゴール」「遠藤」という観点に対するシーンに対してＮＧチェックボックス４０５がチェックされているので、これらの観点を持つシーンには全てアクセス制御対象にする設定になっている。また、「コーナーキック」「チームＡ」という観点に対しては、軽微ＯＫボックス４０６がチェックされているので、これらの観点を持つシーンに対しては所定のスコア以上、例えば０．３以上のスコアを持つシーンに対してアクセス制御を行うことを示している。また、アクセス制御方法として削除ボックス４０８がチェックされているので、対象となったシーンを全て削除するアクセス制御処理をする。また、観点「遠藤」４１２は、コンテンツ記述１０６にはなく、つまり、初期段階では、観点「遠藤」４１２はアクセス制御規則設定画面にはないものであり、既に作成済みのアクセス制御記述１０８に存在するもの、もしくは、アクセス制御をしようとするユーザがコンテンツ１０４を見たあとで今回追加したものである。
【００６０】
このように、コンテンツ記述１０６にないユーザ趣向による観点を用いてアクセス制御規則を設定することも可能であり、コンテンツ記述１０６の内容に束縛されない自由度の高いアクセス制御ができる。つまり、以前に設定したアクセス制御規則が残っているため、一通りのコンテンツに対して、アクセス制御規則を設定すると、次に同じ内容のコンテンツ、例えば、同じチームに関するサッカーの試合のリターンマッチなどは、再度アクセス制御規則を設定しなくても、アクセス制御が掛けられるようになる。
【００６１】
また、図５のアクセス制御規則設定画面４００の場合は、「コーナーキック」という観点に対して、軽微ＯＫボックス４０６がチェックされているので、これらの観点を持つシーンに対しては所定のスコア以上、例えば０．３以上のスコアを持つシーンに対してアクセス制御を行うことを示している。また、アクセス制御方法として差替ボックス４０９がチェックされているので、対象となったシーンを他に用意してある差し替え用のシーンに差し替えるというアクセス制御処理をする。
【００６２】
また、図６のアクセス制御規則設定画面４００の場合は、なにも入力されていないので、アクセス制御を行わないということを示している。
【００６３】
また、アクセス制御規則設定画面４００の下部には、別のコンテンツ記述に対してアクセス制御規則を設定する場合に使用する次頁ボタン４１０と、現在入力されたアクセス制御規則の設定を最終的な決定とする決定ボタン４１１が配置されている。
【００６４】
このようにアクセス制御規則設定画面４００を構成することにより、コンテンツ記述１０６に含まれている観点名を視覚的に把握しながら、その規制レベルや、規制方法を入力できる。
【００６５】
次に、アクセス制御記述作成部１０９が作成するアクセス制御記述１０８について、図７〜図９を用いて説明する。図７はユーザＡ用のアクセス制御記述を示す図であり、図８はユーザＢ用のアクセス制御記述を示す図であり、図９はユーザＣ用のアクセス制御記述を示す図である。
【００６６】
アクセス制御記述７００には、アクセス制御対象のユーザ名７０１が記述されている。また、アクセス制御記述７００には、アクセス制御規制設定画面４００において、アクセス制御対象として選択された観点名の一覧である観点名一覧７０２と、観点名一覧７０２に記述された観点に対する規制方法７０３が記述されている。また、アクセス制御記述７００には、アクセス対象のシーンに対する制御方法７０４が記述されている。
【００６７】
図７に示すアクセス制御記述７００は図４に示すアクセス制御規則設定画面４００の内容に対応しており、アクセス制御対象のユーザ名７０１はユーザＡに、アクセス制御対象の観点名一覧７０２は「ゴール」、「コーナーキック」、「チームＡ」、「遠藤」になっている。また、観点名「ゴール」「遠藤」に対する規制方法７０３は全てＮＧ、観点名「コーナーキック」「チームＡ」に対しては軽微ＯＫになっている。また、制御方法７０４は、削除になっている。
【００６８】
また、図８に示すアクセス制御記述７００は図５に示すアクセス制御規則設定画面４００の内容に対応しており、アクセス制御対象のユーザ名７０１はユーザＢに、アクセス制御対象の観点名一覧７０２は「コーナーキック」、観点名「コーナーキック」に対する規制方法７０３として軽微ＯＫが記述されている。また、制御方法７０４は、差替になっている。
【００６９】
また、図９に示すアクセス制御記述７００は図６に示すアクセス制御規則設定画面４００の内容に対応しており、アクセス制御対象のユーザ名７０１はユーザＣに、アクセス制御対象の観点名一覧７０２、規制方法７０３、および制御方法７０４は、空欄となっている。
【００７０】
次に、ＸＭＬを用いたアクセス制御記述の具体例について図１０（ａ）を用いて説明する。図１０（ａ）に示すアクセス制御記述は、図７のアクセス制御記述７００に対応するものである。
【００７１】
図１０（ａ）に示すように、ＸＭＬを用いたアクセス制御記述１０００には、図７に示すアクセス制御記述７００の内容である、ユーザ名１００１、観点名１００２ａ〜１００２ｄ、観点名１００２ａ〜１００２ｄに対する規制方法１００３ａ〜１００３ｄが記述されている。また、アクセス制御記述１０００には、図１０（ｂ）に示すような、ユーザ名１００４とアクセス制御方法１００５を示すファイル名が付与されている。具体的には、ユーザ名１００４は「ユーザＡ」という意味で「ＵｓｅｒＡ」が、アクセス制御方法１００５は削除という意味で「Ｄｅｌｅｔｅ」が記述されている。
【００７２】
また、ユーザＢに対するアクセス制御記述には、図１０（ｃ）に示すタイトルが付与されており、ユーザ名１００６は「ユーザＢ」という意味で「ＵｓｅｒＢ」が、アクセス制御方法１００７は差替えという意味で「Ｃｈａｎｇｅ」が記述されている。
【００７３】
また、ユーザＣに対するアクセス制御記述には、図１０（ｄ）に示すタイトルが付与されており、ユーザ名１００８は「ユーザＣ」という意味の「ＵｓｅｒＣ」のみが記述されている。
【００７４】
次に、ＭＰＥＧ−７の規格を用いたアクセス制御記述の具体例について図１１を用いて説明する。図１１に示すアクセス制御記述は、図１０（ａ）に示すアクセス制御記述１０００に対応した記述、つまりユーザＡ用の記述である。
【００７５】
図１１に示すアクセス制御記述１１００は、図７に示すアクセス制御記述７００の内容である、ユーザ名１１０１、観点名１１０２ａ〜１１０２ｄが記述されている。また、観点名１１０２ａ〜１１０２ｄには、それぞれもっとも好ましくないことを示す−１００という値が付与されている。また、アクセス制御記述１１００は、“ＳｕｍｍａｒｙＰｒｅｆｅｒｅｎｃｅｓ”タグでアクセス制御のレベルを区別してある。図１１の例では、１１０３で示される部分で「全てＮＧ」、１１０４で示される部分で「軽微ＯＫ」と定義してある。
【００７６】
このように、アクセス制御記述１０８には、アクセス制御する対象の観点と、その観点を持つシーンに対する規制方法と、規制対象のシーンに対するアクセス制御方法が記述されている。これにより、アクセス制御記述１０８を参照することにより、どのようなアクセス制御をするか容易に把握できる。
【００７７】
また、アクセス制御記述１０８をＭＰＥＧ−７規格のＸＭＬなどで記述することにより、アクセス制御記述１０８を標準化でき、汎用性を持たせられる。
【００７８】
次に、図１を用いたアクセス制御装置１０１の説明に戻る。
【００７９】
アクセス制御装置１０１には、アクセス制御部１１２が設けられている。アクセス制御部１１２は、コンテンツ記述１０６とアクセス制御記述１０８を用いてアクセス制御テーブル１１３を生成し、アクセス制御テーブル１１３とコンテンツ記述１０６の情報を用いてアクセス制御済コンテンツ記述１１４を作成する。
【００８０】
次に、アクセス制御テーブル１１３について、図１２を用いて説明する。図１２は、実施の形態１にかかるアクセス制御テーブル１１３の構成を説明するための図である。
【００８１】
アクセス制御テーブル１１３は、横軸にコンテンツ１０４のシーン番号１２０１、縦軸にユーザ名１２０２、ユーザ名１２０２に対するアクセス制御方法１２０３、ユーザ名１２０２に対するアクセス制御対象の観点名１２０４、観点名１２０４に対する規制方法１２０５が配置されている。また、観点名１２０４および規制方法１２０５と、シーン番号とが交差する位置には、シーンのスコア１２０６が記述されている。また、各シーン番号１２０１には、暗号化フラグ１２０７が付与されている。
【００８２】
暗号化フラグ１２０７は、シーンを暗号化するか否かを示すフラグであり、「１」のとき暗号化し、「０」のときは暗号化しない。暗号化する場合とは、該当シーンをいずれかのユーザに配信する場合、つまり特定のユーザが見ることができないようにする可能性がある場合である。
【００８３】
このように、アクセス制御テーブル１１３を用いることにより、どのシーンを暗号化して配信するか、どのシーンを削除するか、またどのシーンを差し替えるか容易に判断できる。
【００８４】
次に、アクセス制御済コンテンツ記述１１４について、図１３を用いて説明する。図１３は、アクセス制御済コンテンツ記述１１４を説明するための図である。
【００８５】
アクセス制御済コンテンツ記述１１４は、コンテンツ記述１０６の構成に、アクセス制御テーブル１１３の内容を加味した構成になっている。なお、既にコンテンツ記述１０６で説明した部分については同一の符号を付与し詳細な説明を省略する。
【００８６】
アクセス制御済コンテンツ記述１１４と、コンテンツ記述１０６との違いは、アクセス制御テーブル１１３の暗号化フラグ１２０７が「１」になっているシーンに対する部分である。詳細には、暗号化フラグ１２０７が「１」になっているシーンに対して、ユーザ毎に異なった処理をした内容を記述する。
【００８７】
具体的には、ユーザＡに対してはシーン０、１を配信しないのでユーザＡ用のシーン０、１は記述しない。また、ユーザＢに対してはシーン０の差替情報を配信するのでユーザＢ用の公開鍵（暗号鍵）１２４で暗号化したシーン０の差替情報１３０１を記述する。また、ユーザＣに対してはシーン０を配信するのでユーザＣ用の公開鍵１２４で暗号化したシーン０の情報１３０２を記述する。また、ユーザＢに対してはシーン１を配信するのでユーザＢ用の公開鍵１２４で暗号化したシーン１の情報１３０３を記述する。また、ユーザＣに対してはシーン１を配信するのでユーザＣ用の公開鍵１２４で暗号化したシーン１の情報１３０４を記述する。
【００８８】
図１４に、ユーザＢ用の公開鍵１２４で暗号化したシーン０の差替情報１３０１およびユーザＣ用の公開鍵１２４で暗号化したシーン０の情報１３０２をＸＭＬで記述した記述例を示す。
【００８９】
図１４から分かるように、ユーザＢ用の公開鍵１２４で暗号化したシーン０の差替情報１３０１には、ユーザＢの鍵情報１４００ａと、シーン０の差替情報をユーザＢの公開鍵１２４で暗号化した情報１４０１ａが記述されている。
【００９０】
また、ユーザＣ用の公開鍵１２４で暗号化したシーン０の情報１３０２には、ユーザＣの鍵情報１４００ｂと、シーン０の情報をユーザＣの公開鍵１２４で暗号化した情報１４０１ｂが記述されている。
【００９１】
このように、アクセス制御済コンテンツ記述１１４は、アクセス制御済のシーン情報を持つ構成になっている。また、アクセス制御済コンテンツ記述１１４は、ユーザ毎にユーザの公開鍵１２４を用いてシーンを暗号化しているので、アクセス制御によりあるシーンの配信を受けないユーザがこのシーンを視聴するということを防ぐことができる。
【００９２】
また、アクセス制御済コンテンツ記述１１４をＸＭＬで記述することにより、アクセス制御済コンテンツ記述１１４を標準化でき、汎用性を持たせられる。
【００９３】
なお、アクセス制御済コンテンツ記述１１４は、各シーンを所定の復号鍵を用いて暗号化しておき、この復号鍵を各ユーザの公開鍵１２４で暗号化した情報を記述しておく形態であってもよい。この場合は、所定の復号鍵を用いて暗号化した情報と共に復号鍵を各ユーザの公開鍵１２４で暗号化した情報を配信する。
【００９４】
具体的には、図１５に示すように、アクセス制御済コンテンツ記述１１４に、シーン０を復号鍵αで暗号化した情報１５０１、シーン０の差替情報を復号鍵βで暗号化した情報１５０２、およびシーン１を復号鍵γで暗号化した情報１５０３と、復号鍵αをユーザＡの公開鍵１２４で暗号化した情報１５０４、復号鍵βをユーザＢの公開鍵１２４を用いて暗号化した情報１５０５、復号鍵αをユーザＣの公開鍵１２４を用いて暗号化した情報１５０６、復号鍵γをユーザＢの公開鍵１２４で暗号化した情報１５０７、および復号鍵γをユーザＣの公開鍵１２４を用いて暗号化した情報１５０８を記述する。そして、シーン０を復号鍵αで暗号化した情報１５０１、シーン０の差替情報を復号鍵βで暗号化した情報１５０２、およびシーン１を復号鍵γで暗号化した情報１５０３と、復号鍵αをユーザＡの公開鍵１２４で暗号化した情報１５０４、復号鍵βをユーザＢの公開鍵１２４を用いて暗号化した情報１５０５、復号鍵αをユーザＣの公開鍵１２４を用いて暗号化した情報１５０６、復号鍵γをユーザＢの公開鍵１２４で暗号化した情報１５０７、および復号鍵γをユーザＣの公開鍵１２４を用いて暗号化した情報１５０８をあわせて配信するようにする。
【００９５】
これにより、各シーンに対して所定の復号鍵で暗号化した情報を記述し、各ユーザに対して復号鍵を各ユーザの公開鍵１２４で暗号化した情報を記述すればよくなるので、アクセス制御済コンテンツ記述１１４の情報量を削減することができる。
【００９６】
また、アクセス制御済コンテンツ記述１１４は、コンテンツＵＲＬを各ユーザの公開鍵１２４で暗号化する形態であってもよい。要は、暗号化情報を復号するための鍵をユーザに合わせて、適切にユーザの公開鍵１２４を用いて暗号化すればよい。
【００９７】
また、上述したアクセス制御済コンテンツ記述１１４は、シーン全体を暗号化しているが、一部分を暗号化してもよい。例えば、シーン開始時間２０５とシーン継続時間２０６のみを暗号化してもよい。また、シーンの番号２０４を暗号化しなくてもよい。このようにすることで、アクセス制御が行われていることが、該当のシーンを視聴できないユーザに分かるようになる。
【００９８】
次に、図１を用いたアクセス制御装置１０１の構成の説明に戻る。
【００９９】
アクセス制御装置１０１には、コンテンツ蓄積部１０５のコンテンツ１０４やアクセス制御済コンテンツ記述１１４を受信端末１０２に送信する送信部１１５が設けられている。また、アクセス制御装置１０１には、受信端末１０２から送られてきたコンテンツ配信要求を受信する受信部１１６が設けられている。
【０１００】
このように、アクセス制御装置１０１は構成されている。次に、受信端末１０２の構成について説明する。
【０１０１】
受信端末１０２には、アクセス制御済コンテンツ記述１１４およびコンテンツ１０４を受信する受信部１１７が設けられている。受信部１１７は、アクセス制御済コンテンツ記述１１４をアクセス制御済コンテンツ記述復号部１１８に送り、コンテンツ１０４をコンテンツ再生部１１９に送る。
【０１０２】
アクセス制御済コンテンツ記述復号部１１８は、秘密鍵（復号鍵）１２０を用いてアクセス制御済コンテンツ記述１１４を復号化し復号済コンテンツ記述１２１を生成し、コンテンツ再生部１１９に送る。
【０１０３】
コンテンツ再生部１１９は、復号済コンテンツ記述１２１から、必要なコンテンツと、コンテンツのシーンを解析し、必要なコンテンツのシーンの配信要求を送信部１２２に送り、送信部１２２がコンテンツのシーンの配信要求をアクセス制御装置１０１に送る。
【０１０４】
また、コンテンツ再生部１１９は、受信部１１７を介して受信した必要なコンテンツのシーンを情報表示部１２３に送り、情報表示部１２３がこのシーンを表示する。
【０１０５】
以上のように、受信端末１０２は構成され、アクセス制御済コンテンツ記述１１４を解析し、アクセス制御済コンテンツ記述１１４に記述されたシーンを取得し、表示する。
【０１０６】
次に、アクセス制御装置１０１のアクセス制御処理について、図１６を用いて説明する。図１６は、実施の形態１にかかるアクセス制御装置１０１のアクセス制御処理のフローチャートである。
【０１０７】
まず、アクセス制御記述作成部１０９が、コンテンツ記述蓄積部１０７のコンテンツ記述１０６を読み取る（ＳＴ１６０１）。次に、アクセス制御記述作成部１０９が、アクセス制御記述１０８を読み取る（ＳＴ１６０２）。なお、初期段階などでアクセス制御記述１０８が存在しない場合は、アクセス制御記述作成部１０９は、ＳＴ１６０２の処理を省略する。
【０１０８】
次に、アクセス制御記述作成部１０９は、ＳＴ１６０１において読み取ったコンテンツ記述１０６を用いて、図１７に示す初期画面１７００を作成し、情報表示部１１０に表示する（ＳＴ１６０３）。
【０１０９】
初期画面１７００は、コンテンツ記述１０６に含まれるコンテンツのタイトル２０２を表示するタイトル情報表示部１７０１と、ユーザがサービスの選択を行うためのボタンである、アクセス制御規則設定ボタン１７０２と、アクセス制御実行ボタン１７０３と、アクセス制御に関する処理を終了させるための終了ボタン１７０４を備えた構成を採る。
【０１１０】
次に、アクセス制御装置１０１は、初期画面１７００に対して情報入力部１１１からサービスの選択を行う入力を待ち、サービスの選択があった場合は（ＳＴ１６０４）、その選択がアクセス制御規則設定ボタン１７０２の押下によるものか判断する（ＳＴ１６０５）。
【０１１１】
ＳＴ１６０５において、アクセス制御規則設定ボタン１７０２が押下されたと判断すると、アクセス制御記述作成部１０９は、アクセス制御記述１０８の作成処理に移行する。まず、アクセス制御記述作成部１０９は、アクセス制御規則設定画面４００を作成し（ＳＴ１６０６）、情報表示部１１０に表示する（ＳＴ１６０７）。
【０１１２】
このように、アクセス制御装置１０１は、ユーザに対して、コンテンツ記述１０６に含まれる観点を提示し、観点毎にアクセス制御をするか否かの情報や、アクセス制御規則や、アクセス制御方法を提示する。
【０１１３】
そして、アクセス制御記述作成部１０９は、アクセス制御規則設定画面４００を見たアクセス制御を行うユーザの操作が情報入力部１１１から設定した、アクセス制御規則、アクセス制御方法、アクセス制御対象の観点などの情報を入力する（ＳＴ１６０８）。
【０１１４】
そして、決定ボタン４１１が押下されるまで、アクセス制御記述作成部１０９は、ＳＴ１６０６〜ＳＴ１６０９の処理を継続する（ＳＴ１６０９）。
【０１１５】
そして、ＳＴ１６０９において決定ボタン４１１が押下されると、アクセス制御記述作成部１０９は、ＳＴ１６０８において設定されたアクセス制御規則を用いてアクセス制御記述１０８を書き出し、アクセス制御部１１２に送る（ＳＴ１６１０）。
【０１１６】
このように、アクセス制御記述作成部１０９は、アクセス制御記述１０８の作成を行う。
【０１１７】
一方、ＳＴ１６０５において、アクセス制御実行ボタン１７０３が押された場合、アクセス制御部１１２がアクセス制御済コンテンツ記述１１４の作成処理に移行する。
【０１１８】
まず、アクセス制御部１１２は、各ユーザ用の公開鍵１２４を読み取る（ＳＴ１６１１）。次に、アクセス制御部１１２は、コンテンツ記述１０６とアクセス制御記述１０８を得る。次に、アクセス制御部１１２は、コンテンツ記述の情報とアクセス制御規則の情報を用いて、アクセス制御処理を行い、アクセス制御済コンテンツ記述１１４を作成する（ＳＴ１６１２）。なお、ＳＴ１６１２の処理は後で詳述する。
【０１１９】
そして、アクセス制御部１１２は、アクセス制御済コンテンツ記述１１４を送信部１１５に送り、送信部１１５が受信端末１０２に送る（ＳＴ１６１３）。
【０１２０】
次に、実施の形態１にかかるアクセス制御処理（ＳＴ１６１２の処理について）、図１８を用いて説明する。
【０１２１】
アクセス制御部１１２は、アクセス制御テーブル１１３の作成処理を行う。まず、アクセス制御部１１２は、アクセス制御記述１０８を参照しアクセス制御対象のキーワード（観点）を抽出し、アクセス制御テーブル１１３に書き込む。次に、アクセス制御部１１２は、コンテンツ記述１０６を参照し、抽出したキーワードに対するスコア２０７をシーン単位にアクセス制御テーブル１１３のスコア１２０６に書き込む（ＳＴ１８０１）。
【０１２２】
また、ＳＴ１８０１において、アクセス制御記述１０８に記述されたアクセス制御を行うレベルが「軽微ＯＫ」の場合には、アクセス制御部１１２は、軽微ＯＫのレベル以下のシーンに対してはアクセス制御テーブル１１３にスコアを書き込まない。例えば、軽微ＯＫのレベルが０．３の場合は、スコアが０．３以下のシーンに対しては、アクセス制御を行わないので、アクセス制御テーブル１１３にこのシーンに対するスコアを書き込まない。
【０１２３】
次に、アクセス制御部１１２は、アクセス制御テーブル１１３の１個以上のスコアがあるシーンに対して、暗号化フラグ１２０７を１とし、なければ０とする（ＳＴ１８０２）。
【０１２４】
このようにアクセス制御部１１２は、アクセス制御テーブル１１３を作成する。
【０１２５】
次に、アクセス制御部１１２は、アクセス制御テーブル１１３を用いて、アクセス制御済コンテンツ記述１１４を作成する処理に移行する。
【０１２６】
まず、アクセス制御部１１２は、アクセス制御テーブル１１３を参照し、処理対象のシーンの暗号化フラグ１２０７が「１」であるか判断する（ＳＴ１８０３）。そして、アクセス制御部１１２は、暗号化フラグが「０」であるシーンに対しては、暗号化する必要がないので、その情報をアクセス制御済コンテンツ記述として書き出す（ＳＴ１８０４）。例えば、図１２に示すシーン２〜４に対しては、暗号化フラグ１２０７が「０」であるので、暗号化せずにアクセス制御済コンテンツ記述１１４として書き出す。
【０１２７】
一方、処理対象のシーンの暗号化フラグ１２０７が「１」の場合は、アクセス制御部１１２は、このシーンが配信対象のものであるか判断するために、アクセス制御テーブル１１３を参照し、このシーンに対するスコアが０もしくは空欄になっているユーザ名１２０２を検出する（ＳＴ１８０５）。そして、アクセス制御部１１２は、検出したユーザの公開鍵１２４を用いて処理対象のシーンを暗号化し（ＳＴ１８０６）、アクセス制御済コンテンツ記述１１４に書き出す（ＳＴ１８０４）。
【０１２８】
例えば、ユーザＣに対してはシーン０のスコアが空欄になっているので、アクセス制御部１１２は、シーン０の情報をユーザＣの公開鍵１２４を用いて暗号化し、アクセス制御済コンテンツ記述１１４として書き出す。
【０１２９】
一方、アクセス制御部１１２は、処理対象のシーンに対するスコアが０もしくは空欄になっていないユーザ名１２０２に対しては、アクセス制御方法に応じて処理が異なるので、アクセス制御テーブル１１３のアクセス制御方法１２０３を参照する（ＳＴ１８０７）。そして、アクセス制御部１１２は、アクセス制御方法１２０３が「削除」になっているユーザに対しては、処理対象のシーンを配信しないので、このシーンに関する情報を削除する（ＳＴ１８０８）。
【０１３０】
このように、ユーザに対して配信することの好ましくないシーンを削除できる。
【０１３１】
例えば、ユーザＡは、アクセス制御方法が「削除」になっているので、アクセス制御部１１２は、ユーザＡに配信する情報としてシーン０の情報を削除する。
【０１３２】
一方、アクセス制御方法１２０３が「差替」になっているユーザに対しては、処理対象のシーンに対応する差替用のデータを配信する必要がある。よって、アクセス制御部１１２は、処理対象シーンの差替情報を取得し（ＳＴ１８０９）、差替情報をアクセス制御方法１２０３が「差替」になっているユーザの公開鍵１２４を用いて暗号化し（ＳＴ１８１０）、アクセス制御済コンテンツ記述１１４として書き出す（ＳＴ１８０４）。
【０１３３】
例えば、ユーザＢは、アクセス制御方法が「差替」になっているので、アクセス制御部１１２は、ユーザＢにシーン０の差替情報を取得し、ユーザＢの公開鍵１２４を用いて暗号化し、アクセス制御済コンテンツ記述１１４として書き出す。
【０１３４】
このように、ユーザに配信することの好ましくないシーンをユーザに配信しても支障のない内容のシーンに差し替えることができる。
【０１３５】
そして、アクセス制御部１１２は、アクセス制御テーブル１１３に記述された全てのシーンに対してＳＴ１８０３〜ＳＴ１８１０の処理を行い（ＳＴ１８１１）、処理を終了する。
【０１３６】
ここで、シーンの差替情報について、図１９を用いて説明する。図１９から分かるように、シーンの差替情報１９０２は、オリジナルのシーン１９０１の後ろに付与されている。また、シーン差替情報１９０２の順番は、オリジナルのシーン１９０１と同様にシーン０から順に並んでいる。
【０１３７】
シーンの差替情報の具体的な記述について、図２０を用いて説明する。図２０中の２００１で示される部分から分かるように、シーンの差替情報のシーン開始時間は９０分の位置、つまり図２からオリジナルのコンテンツが９０分であるのでオリジナルのコンテンツの終了した次の部分から始まっている。
【０１３８】
また、図２１に示すように、オリジナルのシーン０  ２２０１とシーン０の差替情報２２０２の格納を変えてもよい。この場合は、オリジナルのシーン０  ２２０１の格納先を示すＵＲＬ２２０３とシーン０の差替情報２２０２の格納先を示すＵＲＬ２２０４が異なるようになる。この場合は、アクセス制御済コンテンツ記述１１４にシーンの実体を記述せずに、シーンのＵＲＬを配信先のユーザの公開鍵１２４を用いて暗号化して記述するようにしてもよい。これにより、アクセス制御済コンテンツ記述１１４にシーンの実体を記述しなくて良いので、データ量の削減ができる。
【０１３９】
以上のように、アクセス制御部１１２は、アクセス制御テーブル１１３を作成し、作成したアクセス制御テーブル１１３を用いてアクセス制御済コンテンツ記述１１４を作成する。
【０１４０】
なお、アクセス制御部１１２の行う暗号化の方法は、国際標準化組織Ｗ３Ｃ（Ｗｏｒｌｄ  Ｗｉｄｅ  Ｗｅｂ  Ｃｏｎｓｏｒｔｉｕｍ）でＸＭＬの暗号化が標準化されている（ｈｔｔｐ：／／ｗｗｗ．ｗ３．ｏｒｇ／Ｅｎｃｒｙｐｔｉｏｎ／２００１／）方法等を用いればよい。
【０１４１】
次に、受信端末１０２のコンテンツ視聴処理について、図２２のフローチャートを用いて説明する。
【０１４２】
受信端末１０２は、受信部１１７において、アクセス制御済コンテンツ記述１１４を受信し、アクセス制御済コンテンツ記述復号部１１８に送る（ＳＴ２３０１）。次に、アクセス制御済コンテンツ記述復号部１１８は、秘密鍵１２０を読み取る（ＳＴ２３０２）。
【０１４３】
次に、アクセス制御済コンテンツ記述復号部１１８は、ＳＴ２３０１で取得したアクセス制御済コンテンツ記述１１４を解析し、暗号化してないシーンに対する記述に対してはそのまま書き出し、暗号化されかつＳＴ２３０２で読み取った秘密鍵１２０を用いて復号可能なシーンに対する記述に対しては復号化して書き出し、暗号化されかつＳＴ２３０２で読み取った秘密鍵１２０を用いて復号不可能なシーンに対する記述に対しては処理をしないで書き出すという処理をして、復号済コンテンツ記述１２１を作成する（ＳＴ２３０３）。そして、アクセス制御済コンテンツ記述復号部１１８は、復号済コンテンツ記述１２１をコンテンツ再生部１１９に送る。
【０１４４】
次に、コンテンツ再生部１１９は、復号済コンテンツ記述１２１を解析し（ＳＴ２３０４）、復号済コンテンツ記述１２１に記述されたシーンに対するコンテンツ１０４の部分の配信要求を、送信部１２２を介して、アクセス制御装置１０１に送る（ＳＴ２３０５）。
【０１４５】
次に、受信端末１０２は、受信部１１７において、ＳＴ２３０５において配信要求したコンテンツを受信し（ＳＴ２３０６）、コンテンツ再生部１１９に送る。
【０１４６】
次に、コンテンツ再生部１１９は、受信したコンテンツを時系列的に繋ぎ合わせることで要約を作成し、情報表示部１２３に送る（ＳＴ２３０７）。
【０１４７】
そして、情報表示部１２３は、要約を再生し、処理を終了する（ＳＴ２３０８）。
【０１４８】
このように、受信端末１０２は、アクセス制御済コンテンツ記述１１４から配信を受けられるシーンを解析し、このシーンの配信を受け、表示する。
【０１４９】
以上説明したように、実施の形態１によれば、コンテンツ記述１０６とアクセス制御記述１０８から生成したアクセス制御済コンテンツ記述１１４を用いることにより、コンテンツのシーン単位にコンテンツの意味内容である観点を用いたアクセス制御を行うことができる。また、受信端末１０２において、アクセス制御済コンテンツ１１４を解析することにより、アクセス制御を加味してコンテンツを再生できる。
【０１５０】
また、実施の形態１によれば、アクセス規制方法にスコアが低いものに対しては規制を行わない軽微ＯＫを備えているので、シーンの観点だけでなく、スコアも用いたアクセス制御を行うことができる。
【０１５１】
また、実施の形態１では、コンテンツのシーン単位にコンテンツの意味内容である観点を用いてアクセス制御を行ったが、アクセス制御用の観点として「アクセス制御」を設け、アクセス制御レベルに対応するスコアを設定するようにしても良い。
【０１５２】
なお、アクセス制御装置１０１の行う処理をプログラムにし、汎用のコンピュータに実行させる形態であっても良い。
【０１５３】
（実施の形態２）
本発明の実施の形態２は、実施の形態１と、受信端末の構成が違う。実施の形態１では、ＰＤＡや携帯電話のように小型の記憶装置しか持たなく、かつ単一のユーザが使用する端末を想定していたが、実施の形態２の受信端末はハードディスクレコーダーのように大容量の記憶装置を具備し、かつ複数のユーザが使用するものを想定している。
【０１５４】
次に、実施の形態２にかかる受信端末の構成について、図２３を用いて詳細に説明する。なお、既に説明した部分と同一の部分には同一の符号を付与し、詳細な説明を省略する。
【０１５５】
実施の形態２にかかる受信端末１６０１には、アクセス制御済コンテンツ記述１１４や、ユーザＡ〜ユーザＣ用の秘密鍵１２０を蓄積する記憶装置１６０２が設けられている。記憶装置１６０２は、ＨＤＤなどの大型記憶装置を想定している。
【０１５６】
また、受信端末１６０１には、アクセス制御済コンテンツ記述１１４をユーザ用の秘密鍵１２０を用いて復号化するアクセス制御済コンテンツ記述復号部１１８が設けられている。
【０１５７】
また、受信端末１６０１には、アクセス制御済コンテンツ記述１１４をアクセス制御済コンテンツ記述復号部１１８に入力する記述入出力部１６０９が設けられている。また、記述入出力部１６０９は、アクセス制御済コンテンツ記述復号部１１８が復号したユーザＡ〜ユーザＣ用コンテンツ記述１６０３〜１６０５やアクセス制御無しデフォルトコンテンツ記述１６０６を記憶装置１６０２に出力する。
【０１５８】
なお、ユーザＡ〜ユーザＣ用コンテンツ記述１６０３〜１６０５およびアクセス制御無しデフォルトコンテンツ記述１６０６の詳細については後述する。
【０１５９】
また、受信端末１６０１は、複数のユーザが使用する形態になっているので、使用するユーザが正規のユーザ（ユーザＡ〜ユーザＣ）であるかの認証を行うための認証部１６０７が設けられている。認証部１６０７は、パスワードなどの一般的な方法を用いてユーザの認証を行う。また、認証部１６０７は、認証を行ったユーザが正規のユーザと判断した場合には、そのユーザ用のコンテンツ記述１６０３〜１６０５を取得し、コンテンツ再生部１６０８に出力する。一方、認証部１６０７は、認証を行ったユーザが正規のユーザではないと判断した場合には、アクセス制御無しデフォルトコンテンツ記述１６０６を取得し、コンテンツ再生部１６０８に出力する。
【０１６０】
コンテンツ再生部１６０８は、ユーザ用のコンテンツ記述１６０３〜１６０５や、アクセス制御無しデフォルトコンテンツ記述１６０６に必要なコンテンツ１０４のシーンを解析し、そのコンテンツのシーンを情報表示部１２３に出力する。
【０１６１】
次に、ユーザＡ用コンテンツ記述１６０３について、図２４を用いて説明する。図から分かるように、ユーザＡ用コンテンツ記述１６０３は、図２に示すコンテンツ記述１０６と類似した構成を採るので、既に説明した部分と同一の部分には同一の符号を付与し詳細な説明を省略する。
【０１６２】
また、ユーザＡ用コンテンツ記述１６０３は、図１３に示すアクセス制御済コンテンツ記述１１４をもとに作成されている。ユーザＡ用コンテンツ記述１６０３には、図１３に示すアクセス制御済コンテンツ記述１１４に記述されている暗号化されていないシーン（シーン２〜４）に関する情報と、暗号化されているがユーザＡ用の秘密鍵１２０を用いて復号化できる情報で構成されている。この場合、アクセス制御済コンテンツ記述１１４には、ユーザＡ用の秘密鍵で復号できる暗号化された情報はないので、図２４に示すように、ユーザＡ用コンテンツ記述１６０３には、シーン２〜４の情報のみが記述されている。
【０１６３】
次に、ユーザＢ用コンテンツ記述１６０４について、図２５を用いて説明する。図２５から分かるように、ユーザＢ用コンテンツ記述１６０４は、図２に示すコンテンツ記述１０６と類似した構成を採るので、既に説明した部分と同一の部分には同一の符号を付与し詳細な説明を省略する。
【０１６４】
また、ユーザＢ用コンテンツ記述１６０４は、図１３に示すアクセス制御済コンテンツ記述１１４をもとに作成されている。ユーザＢ用コンテンツ記述１６０４には、図１３に示すアクセス制御済コンテンツ記述１１４に記述されている暗号化されていないシーン（シーン２〜４）に関する情報と、暗号化されているがユーザＢ用の秘密鍵１２０を用いて復号化できる情報で構成されている。この場合、アクセス制御済コンテンツ記述１１４には、ユーザＢ用の秘密鍵で復号できる暗号化情報として、シーン０の差替情報が記述されている。よって、図中２６０１に示すように、シーン０に対するシーン開始時間が差替情報を示す「９０分」になっている。
【０１６５】
なお、図２６のように、ユーザＢ用コンテンツ記述１６０４を記述しても良い。この例では、図中２７０１に示すように、シーン０の差替情報のＵＲＬが記述されている。
【０１６６】
次に、ユーザＣ用コンテンツ記述１６０５について、図２７を用いて説明する。図２７から分かるように、ユーザＣ用コンテンツ記述１６０５は、図１３に示すアクセス制御済コンテンツ記述１１４をもとに作成されているので、既に説明した部分と同一の部分には同一の符号を付与し詳細な説明を省略する。
【０１６７】
ユーザＣ用コンテンツ記述１６０５には、図１３に示すアクセス制御済コンテンツ記述１１４に記述されている暗号化されていないシーン（シーン２〜４）に関する情報と、暗号化されているがユーザＣ用の秘密鍵１２０を用いて復号化できる情報で構成されている。この場合、アクセス制御済コンテンツ記述１１４には、ユーザＣ用の秘密鍵で復号できる暗号化情報として、シーン０、１の情報が記述されている。よって、図２８に示すように、シーン０〜シーン４までの全ての情報が記述されている。言い換えると、ユーザＣ用コンテンツ記述１６０５と、コンテンツ記述１０６とは、同一である。
【０１６８】
次に、アクセス制御無しデフォルトコンテンツ記述１６０６について、図２８を用いて説明する。アクセス制御無しデフォルトコンテンツ記述１６０６は、図１３に示すアクセス制御済コンテンツ記述１１４をもとに作成されている。アクセス制御無しデフォルトコンテンツ記述１６０６には、図１３に示すアクセス制御済コンテンツ記述１１４に記述されている暗号化されていないシーン（シーン２〜４）に関する情報で構成されている。
【０１６９】
このように、アクセス制御無しデフォルトコンテンツ記述１６０６は、どのユーザに見られても支障のない、シーンの情報のみで構成されている。
【０１７０】
なお、アクセス制御無しデフォルトコンテンツ記述１６０６を図２９に示すような構成にしても良い。図２９に示すアクセス制御無しデフォルトコンテンツ記述１６０６は、図２８に示すアクセス制御無しデフォルトコンテンツ記述１６０６からＵＲＬ２０８を削除した構成になっている。これにより、図２９に示すアクセス制御無しデフォルトコンテンツ記述１６０６からは、コンテンツの再生ができず、単にコンテンツの内容を示すコンテンツ記述１０６対応の内容のみ提示することができる。この結果、正規のユーザ以外に対して、確実にアクセス制御済のコンテンツを提示しないようにできる。
【０１７１】
以上のように、受信端末１６０１は構成されている。
【０１７２】
次に、以上のように構成された受信端末１６０１が、アクセス制御済コンテンツ記述１１４を、秘密鍵１２０を用いて復号し、ユーザ用コンテンツ記述１６０３〜１６０５を作成し、コンテンツ１０４をアクセス制御して再生する動作について、図３０のフローチャートを用いて説明する。
【０１７３】
まず、受信端末１６０１は、アクセス制御済コンテンツ記述１１４からユーザＡ〜Ｃ用コンテンツ記述１６０３〜１６０５、およびアクセス制御無しデフォルトコンテンツ記述１６０６を作成する処理を行う。
【０１７４】
具体的には、まず、アクセス制御済コンテンツ記述復号部１１８が、ユーザＡ〜Ｃ用秘密鍵１２０を読み取る（ＳＴ３１００）。次に、記述入出力部１６０９が、アクセス制御済コンテンツ記述１１４を読み取り、アクセス制御済コンテンツ記述復号部１１８に読み取った情報を渡す（ＳＴ３１０１）。次に、アクセス制御済コンテンツ記述復号部１１８が、ユーザＡ〜Ｃ用秘密鍵１２０の情報を用いてアクセス制御済コンテンツ記述１１４を、ユーザ毎に復号し、記述入出力部１６０９を介して、記憶装置１６０２に送り、ユーザＡ用コンテンツ記述１６０３、ユーザＢ用コンテンツ記述１６０４、ユーザＣ用コンテンツ記述１６０５としてファイル化する（ＳＴ３１０２）。
【０１７５】
具体的には、アクセス制御済コンテンツ記述復号部１１８は、アクセス制御済コンテンツ記述１１４を解析し、平文ならそのまま記憶装置１６０２に送りファイル化し、暗号文かつユーザＡ〜Ｃ用秘密鍵１２０を用いてデコード可能ならばデコードし記憶装置１６０２に送りファイル化し、暗号文かつユーザＡ〜Ｃ用秘密鍵１２０でデコード不可能ならば次の部分の処理に移行するという形で、ユーザＡ用コンテンツ記述１６０３、ユーザＢ用コンテンツ記述１６０４、ユーザＣ用コンテンツ記述１６０５をファイル化する。
【０１７６】
次に、アクセス制御済コンテンツ記述復号部１１８は、アクセス制御済コンテンツ記述１１４を解析し、平文の部分のみをそのまま記憶装置１６０２に送りファイル化することにより、アクセス制御無しデフォルトコンテンツ記述１６０６を作成する（ＳＴ３１０３）。
【０１７７】
次に、受信端末１６０１は、コンテンツの配信に際して、配信を希望するユーザが正規のユーザであるか認証を行う。
【０１７８】
具体的には、認証部１６０７が、配信希望のユーザのパスワードを入力し（ＳＴ３１０４）、このパスワードと正規のユーザのパスワードをと比較することにより、配信を希望するユーザが正規のユーザであるか認証する（ＳＴ３１０５）。
【０１７９】
ＳＴ３１０５において、配信を希望するユーザが正規のユーザであると判断すると、認証部１６０７は、このユーザ用コンテンツ記述１６０３〜１６０５を取得し、コンテンツ再生部１６０８に送る（ＳＴ３１０６）。
【０１８０】
次に、コンテンツ再生部１６０８は、ユーザ用コンテンツ記述１６０３〜１６０５を解析し、記述されているコンテンツのシーンの情報を抽出し、抽出したシーンに対応するコンテンツ１０４を取得する（ＳＴ３１０７）。そして、取得したコンテンツを情報表示部１２３に送り、情報表示部１２３がこれを再生する（ＳＴ３１０８）。
【０１８１】
このように、正規のユーザに対しては、対応するアクセス済のコンテンツ記述であるコンテンツ記述１６０３〜１６０５を用いて、視聴可能なコンテンツのみを取得し、再生できる。
【０１８２】
一方、ＳＴ３１０５において、配信を希望するユーザが正規のユーザでないと判断すると、認証部１６０７は、アクセス制御無しデフォルトコンテンツ記述１６０６を取得し、コンテンツ再生部１６０８に送る（ＳＴ３１０９）。
【０１８３】
次に、コンテンツ再生部１６０８は、アクセス制御無しデフォルトコンテンツ記述１６０６を解析し、記述されているコンテンツのシーンの情報を抽出し、抽出したシーンに対応するコンテンツ１０４を取得する（ＳＴ３１０７）。そして、取得したコンテンツを情報表示部１２３に送り、情報表示部１２３がこれを再生する（ＳＴ３１０８）。
【０１８４】
このように、正規のユーザ以外に対しては、再生しても支障のないコンテンツのみを取得し、再生できる。
【０１８５】
以上説明したように、実施の形態２によれば、正規のユーザに対しては、対応するアクセス制御済コンテンツ記述であるコンテンツ記述１６０３〜１６０５を用いて、視聴可能なコンテンツのみを取得し、再生できる。また、正規のユーザ以外に対しては、再生しても支障のないコンテンツのみを取得し、再生できる。
【産業上の利用可能性】
【０１８６】
本発明は、簡易な操作によって、コンテンツ記述に対して、シーン単位に観点の内容を加味したアクセス制御を行うと共に、必要に応じて所定のシーンをユーザ毎の暗号鍵を用いて暗号化したアクセス制御済コンテンツ記述を作成することにより、ユーザはユーザ毎の復号鍵を用いることによりユーザ単位にアクセス制御されたコンテンツを視聴することが可能になる。このように、本発明は、コンテンツの各シーンへのアクセスを制限することが可能となる効果を有しており、コンテンツの再生を行うコンテンツ視聴装置等に有用である。
【図面の簡単な説明】
【０１８７】
【図１】本発明の実施の形態１にかかるアクセス制御システムの構成図
【図２】実施の形態１にかかるコンテンツ記述を説明するための図
【図３】実施の形態１にかかるコンテンツ記述をＭＰＥＧ−７規格に基づきＸＭＬで記述した記述例
【図４】実施の形態１にかかるユーザＡに対するアクセス制御規則設定画面を示す図
【図５】実施の形態１にかかるユーザＢに対するアクセス制御規則設定画面を示す図
【図６】実施の形態１にかかるユーザＣに対するアクセス制御規則設定画面を示す図
【図７】実施の形態１にかかるユーザＡ用のアクセス制御記述を示す図
【図８】実施の形態１にかかるユーザＢ用のアクセス制御記述を示す図
【図９】実施の形態１にかかるユーザＣ用のアクセス制御記述を示す図
【図１０】（ａ）実施の形態１にかかるＸＭＬを用いたアクセス制御記述の具体例を示す図（ｂ）実施の形態１にかかるユーザＡ用のアクセス制御記述のファイル名を示す図（ｃ）実施の形態１にかかるユーザＢ用のアクセス制御記述のファイル名を示す図（ｄ）実施の形態１にかかるユーザＣ用のアクセス制御記述のファイル名を示す図
【図１１】実施の形態１にかかるＭＰＥＧ−７の規格を用いたアクセス制御記述の具体例を示す図
【図１２】実施の形態１にかかるアクセス制御テーブルの構成を説明するための図
【図１３】実施の形態１にかかるアクセス制御済コンテンツ記述を説明するための図
【図１４】実施の形態１にかかるユーザＢ用の公開鍵で暗号化したシーン０の差替情報およびユーザＣ用の公開鍵で暗号化したシーン０の情報をＸＭＬで記述した記述例を示す図
【図１５】実施の形態１にかかるアクセス制御済コンテンツ記述を示す図
【図１６】実施の形態１にかかるアクセス制御装置のアクセス制御処理のフローチャート
【図１７】実施の形態１にかかる情報表示部に表示される初期画面を示す図
【図１８】実施の形態１にかかるアクセス制御処理のフローチャート
【図１９】実施の形態１にかかるシーンの差替情報を説明するための図
【図２０】実施の形態１にかかるシーンの差替情報の具体的な記述を示す図
【図２１】実施の形態１にかかるシーンの差替情報を説明するための図
【図２２】実施の形態１にかかる受信端末のコンテンツ視聴処理のフローチャート
【図２３】本発明の実施の形態２にかかる受信端末の構成図
【図２４】実施の形態２にかかるユーザＡ用コンテンツ記述を示す図
【図２５】実施の形態２にかかるユーザＢ用コンテンツ記述を示す図
【図２６】実施の形態２にかかるユーザＢ用コンテンツ記述のその他の例を示す図
【図２７】実施の形態２にかかるユーザＣ用コンテンツ記述を示す図
【図２８】実施の形態２にかかるアクセス制御無しデフォルトコンテンツ記述を示す図
【図２９】実施の形態２にかかるアクセス制御無しデフォルトコンテンツ記述のその他の例を示す図
【図３０】実施の形態２にかかる受信端末の動作フローチャート
【符号の説明】
【０１８８】
１０１  アクセス制御装置
１０２、１６０１  受信端末
１０４  コンテンツ
１０６  コンテンツ記述
１０８  アクセス制御記述
１０９  アクセス制御記述作成部
１１０  情報表示部
１１１  情報入力部
１１２  アクセス制御部
１１３  アクセス制御テーブル
１１４  アクセス制御済コンテンツ記述
１１８  アクセス制御済コンテンツ記述復号部
１１９、１６０７  コンテンツ再生部
１２１  復号済コンテンツ記述
１２３  情報表示部
１６０３〜１６０５  ユーザ用コンテンツ記述
１６０６  アクセス制御無しデフォルトコンテンツ記述
１６０７  認証部
【図１】
2005354497.tif 000003
【図２】
2005354497.tif 000004
【図３】
2005354497.tif 000005
【図４】
2005354497.tif 000006
【図５】
2005354497.tif 000007
【図６】
2005354497.tif 000008
【図７】
2005354497.tif 000009
【図８】
2005354497.tif 000010
【図９】
2005354497.tif 000011
【図１０】
2005354497.tif 000012
【図１１】
2005354497.tif 000013
【図１２】
2005354497.tif 000014
【図１３】
2005354497.tif 000015
【図１４】
2005354497.tif 000016
【図１５】
2005354497.tif 000017
【図１６】
2005354497.tif 000018
【図１７】
2005354497.tif 000019
【図１８】
2005354497.tif 000020
【図１９】
2005354497.tif 000021
【図２０】
2005354497.tif 000022
【図２１】
2005354497.tif 000023
【図２２】
2005354497.tif 000024
【図２３】
2005354497.tif 000025
【図２４】
2005354497.tif 000026
【図２５】
2005354497.tif 000027
【図２６】
2005354497.tif 000028
【図２７】
2005354497.tif 000029
【図２８】
2005354497.tif 000030
【図２９】
2005354497.tif 000031
【図３０】
2005354497.tif 000032